(57)【要約】      （修正有）【課題】意匠が変化する造花を提供する。【解決手段】造花は、花、葉、又は、茎から構成される造花構成部材と、造花構成部材の表面に固着し、再帰反射する反射層とを有する。好適には、造花構成部材は花であり、反射層は、ガラスビーズ及び反射性樹脂層を含むインク又は塗料であり、再帰反射したときに特定の色の光を発色するように構成される。好適には、反射層は第一の反射層と第二の反射層とを含み、第一の反射層は、再帰反射したときに特定の色を発色するように構成され、第二の反射層は、第一の反射層と異なる位置に固着され、再帰反射したときに第一の反射層と異なる他の有彩色を発色するように構成される。【選択図】図１
0003209220.tif 000002
【実用新案登録請求の範囲】
【請求項１】
花、葉、又は、茎から構成される造花構成部材と、
前記造花構成部材の表面に固着し、再帰反射する反射層と
を有する造花。
【請求項２】
前記造花構成部材は、花であり、
前記反射層は、再帰反射したときに、特定の色の光を発色するように構成される
請求項１に記載の造花。
【請求項３】
前記反射層は、第一の反射層と第二の反射層とを含み、
前記第一の反射層は、再帰反射したときに、特定の色を発色するように構成され、
前記第二の反射層は、前記第一の反射層と異なる位置に固着され、再帰反射したときに、前記第一の反射層と異なる他の有彩色を発色するように構成される
請求項２に記載の造花。
【請求項４】
前記反射層は、前記造花構成部材の表面の一部に固着する
請求項３に記載の造花。
【考案の詳細な説明】
【技術分野】
【０００１】
本考案は、造花に関する。
【背景技術】
【０００２】
例えば、特許文献１にはベースシート上に仮保持層を介して形成された透明性のガラス球又は短繊維からなる立体層、該立体層上に積層されたフォトクロミック層及び該フォトクロミック層上に積層された接着性図柄模様樹脂層を有する転写捺染シートであって、該フォトクロミック層が、有機フォトクロミック化合物及びヒンダードアミン系化合物を均一に分散させた透明性の合成樹脂で形成され、該ヒンダードアミン系化合物の使用量が、該有機フォトクロミック化合物１重量部に対して少なくとも５重量部であることを特徴とする転写捺染シートが開示されている。
【先行技術文献】
【特許文献】
【０００３】
【特許文献１】実公平７―４８７１０号公報
【考案の概要】
【考案が解決しようとする課題】
【０００４】
意匠の変化する造花を提供することを目的とする。
【課題を解決するための手段】
【０００５】
本考案に係る造花は、花、葉、又は、茎から構成される造花構成部材と、前記造花構成部材の表面に固着し、再帰反射する反射層とを有する。
【０００６】
好適には、前記造花構成部材は、花であり、前記反射層は、再帰反射したときに、特定の色の光を発色するように構成される。
【０００７】
好適には、前記反射層は、第一の反射層と第二の反射層とを含み、前記第一の反射層は、再帰反射したときに、特定の色を発色するように構成され、前記第二の反射層は、前記第一の反射層と異なる位置に固着され、再帰反射したときに、前記第一の反射層と異なる他の有彩色を発色するように構成される。
【０００８】
好適には、前記反射層は、前記造花構成部材の表面の一部に固着する。
【考案の効果】
【０００９】
意匠の変化する造花を提供することができる。
【図面の簡単な説明】
【００１０】
【図１】再帰反射したときの造花１の概略図である。
【図２】反射層５を例示する図である。
【図３】塗布工程（Ｓ２０）を説明するフローチャートである。
【図４】変形例２における再帰反射したときの造花１を例示する図である。
【図５】変形例３における再帰反射したときの造花１を例示する図である。
【図６】変形例４におけるコサージュ２を例示する図である。
【図７】変形例４における反射層７を例示する図である。
【考案を実施するための形態】
【００１１】
以下、本考案に係る実施形態の構成を、図面を参照して説明する。ただし、本考案の範囲は、図示例に限定されるものではない。
図１は、再帰反射したときの造花１の概略図である。造花１は、造花構成部材からなる。例えば、造花構成部材は、一又は複数の花、葉、及び、茎である。
図１に例示するように、本例において、造花１は、造花構成部材として、花１０、花１２、葉１４、及び、茎１６から構成される。
花１０は、表面に再帰反射する反射層５（図示省略）を有する。反射層５は、花１０の表面に固着しており、再帰反射したときに、特定の色の光を発色するように構成される。例えば、花１０の表面の一部、又は、全部に、後述する再帰反射性を有する反射性インク３０が塗布されることで、反射層５は形成される。ここで、表面とは、物の外側をなす面をいう。本例において、花１０の表面の全部に反射性インク３０が塗布されている。なお、反射層５は、転写により形成されてもよい。
一方、花１２は、反射層５を有しない。なお、本例において、花１０が反射層５を有する形態を具体例として説明するが、花１２、葉１４又は茎１６が反射層５を有していてもよい。
撮影装置５０は、造花１を撮影する。例えば、撮影装置５０は、スマートフォン、カメラ付き携帯電話、又は、カメラ等であり、造花１をフラッシュ撮影する。本例において、撮影装置５０は、スマートフォン５０である。このとき、反射層５を有する花１０は、スマートフォン５０によりフラッシュ撮影されることで、再帰反射する。これにより、花１０の色は、撮影前後で異なる色に撮影される。一方、反射層５を有しない花１２は、スマートフォン５０によりフラッシュ撮影されても、再帰反射しない。そのため、花１０の色は、撮影前後で同一に撮影される。なお、フラッシュ撮影する代わりに、光源からの光を造花１に照射し、再帰反射した造花１を目視で視認してもよい。例えば、懐中電灯等の光を造花１に照射し、再帰反射した造花１を目視で視認してもよい。光源は、ＬＥＤ懐中電灯や車のライト等でもよく、直進性の高い光が望ましい。
また、本例において、花１０の表面の全部に、反射層５が形成される形態を具体例として説明したが、花１０の表面の一部に、反射層５が形成されてもよい。これにより、スマートフォン５０によりフラッシュ撮影したときに、模様を付加できる。
【００１２】
図２は、反射層５を例示する図であり、図２（Ａ）は、反射層５、及び、花１０の部分拡大断面を例示する図であり、図２（Ｂ）は、反射層５の部分拡大平面図を例示する図である。なお、本例における再帰反射性を有する反射性インク３０は、特願２０１５−１３４６２５の塗料として開示されている。
反射層５は、花１０の表面に反射性インク３０を塗布し、塗布された反射性インク３０を乾燥させることにより、形成されている。ここで、反射性インク３０とは、ガラスビーズ２０及び反射性樹脂層２１を形成する反射性樹脂材を含むインク又は塗料をいう。
ガラスビーズ２０は、再帰反射性の高い透明ビーズである。例えば、ガラスビーズ２０は、球形ガラスである。また、ガラスビーズ２０は、空気中から入射する光を再帰反射させる。
【００１３】
反射性樹脂層２１は、花１０の表面に塗布された反射性樹脂材を乾燥させて形成されている。反射性樹脂層２１を形成する反射性樹脂材は、少なくとも、合成樹脂材と、反射材とを含む。
合成樹脂材は、例えば、透明性のある樹脂である。合成樹脂材は、例えば、ポリエステル系樹脂である。合成樹脂材は、ガラスビーズ２０の添加量に合わせて適宜調節することができる。
反射材は、光輝性のある材料であり、光を反射させる性質を備える。反射材は、例えば、雲母（マイカ）、酸化チタン被覆マイカ、アルミペースト、又は、ガラスフレーク金属蒸着ＴｉＯ２顔料等の微粒子である。なお、本例の反射性樹脂層２１は、マイカである反射材を含むことにより、再帰反射時に白色の光を発色する。
また、反射材は、ガラスビーズ２０の周囲に配置される。これより、光を反射させる性質を向上させることができるため、再帰反射時の視認性を向上させることが期待できる。
【００１４】
また、図２（Ｂ）に例示するように、反射層５において、ガラスビーズ２０は、複数配列されている。具体的には、ガラスビーズ２０は、花１０の表面に規則的に複数並ぶよう配列されている。ガラスビーズ２０は、互いに隣接するように配置され、高密度となることが望ましい。
【００１５】
図３は、塗布工程（Ｓ２０）を説明するフローチャートである。
図３に例示するように、ステップ２００（Ｓ２００）において、作業者は、ガラスビーズ２０と、反射性樹脂材とを混ぜ合わせて反射性インク３０を混成する。
ステップ２０５（Ｓ２０５）において、作業者は、花１０の塗布面に反射性インク３０を塗布する。また、作業者は、花１０に反射性インク３０を塗布し、ガラスビーズ２０が露出した状態で花１０の表面に固着させる。
ステップ２１０（Ｓ２１０）において、作業者は、花１０の塗布面に塗布された反射性インク３０を、乾燥させる。これにより、反射層５を形成する。
以上説明したように、本実施形態における造花１は、スマートフォン５０によりフラッシュ撮影されることで、再帰反射し、特定の色を発色する。これにより、フラッシュ撮影前後で、異なるデザイン性を有するというこれまでにない造花１を提供できる。また、ユーザは、目視した造花１のデザインに加えて、再帰反射し、有彩色を発色した造花１のデザインを楽しむことができる。さらに、造花１は、白色だった造花１が有彩色となることで見る人にサプライズ効果をもたらす。
【００１６】
［変形例１］
上記実施例において、反射層５を有する花１０は、再帰反射することにより、撮影前後で異なる特定の色を発色し、反射層５を有しない花１２は、再帰反射せずに、撮影前後で同一の色に撮影される形態を具体例として説明した。変形例１において、複数の花が、異なる色の有彩色を発色する形態を具体例として説明する。例えば、花１０は、表面の一部又は全部に第一の反射層５を有し、再帰反射したときに、特定の色を発色するように構成される。花１２は、表面の一部又は全部に第二の反射層を有する。第二の反射層は、再帰反射したときに、第一の反射層と異なる他の有彩色を発色するように構成される。
変形例１において、花１０が第一の反射層を有し、花１２が第二の反射層を有する形態を具体例として説明したが、１つの花が、第一の反射層及び第二の反射層を含む形態であってもよい。例えば、花１０は、第一の反射層及び第二の反射層を有し、第二の反射層は、第一の反射層と異なる位置に固着され、再帰反射したときに、第一の反射層と異なる他の有彩色を発色するように構成される。
以上説明したように、複数色を再帰反射する造花１を提供できる。
【００１７】
［変形例２］
図４は、変形例２における再帰反射したときの造花１を例示する図であり、図４（Ａ）はフラッシュ無しで撮影した造花１を例示し、図４（Ｂ）は、フラッシュ有りで撮影した造花１を例示する。変形例２において、フラッシュ撮影前後で造花１の色が変わる形態を具体例として説明する。なお、図４は白黒写真のため、色彩については、文中で説明する。
フラッシュ無しで撮影した花７０、花７１、花７２、及び、花７３は、桃色に撮影されるが、フラッシュ有りで撮影した花７０、花７１、花７２、及び、花７３における花弁の外縁は、水色の光を反射する反射層を有しており、水色に撮影される。花７０等において、部分的に反射層が固着されることで、模様を形成している。
また、フラッシュ無しで撮影した花８０、花８１、及び、花８２は白色に撮影されるが、フラッシュ有りで撮影した花８０、花８１、及び、花８２は、黄色の光を反射する反射層を有しており、黄色に撮影される。
また、フラッシュ無しで撮影した花９０、及び、花９１は白色に撮影される、フラッシュ有りで撮影した花９０、及び、花９１は、水色の光を反射する反射層を有しており、水色に撮影される。
【００１８】
［変形例３］
図５は、変形例３における再帰反射したときの造花１を例示する図であり、図５（Ａ）はフラッシュ無しで撮影した造花１を例示し、図５（Ｂ）は、フラッシュ有りで撮影した造花１を例示する。変形例３において、フラッシュ撮影前後で造花１の色が変わる形態を具体例として説明する。なお、図５は白黒写真のため、色彩については、文中で説明する。
フラッシュ無しで撮影した複数の花１００、１０２、１０４、１０６、１０８、及び、１１０は白色に撮影される。変形例３において、複数の花１００及び１０４は桃色の光を反射する反射層を有し、複数の花１０２は緑色の光を反射する反射層を有し、複数の花１０８は黄色の光を反射する反射層を有し、複数の花１１０は水色の光を反射する反射層を有する。一方、複数の花１０６は反射層を有しない。そのため、フラッシュ有りで撮影されたとき、複数の花１００及び１０４は桃色に、複数の花１０２は緑色に、複数の花１０８は黄色に、複数の花１１０は水色に、複数の花１０６は白色のまま撮影される。
反射層を有しない場合は、造花の生地の色を視認することになるため、本例においては、白色を視認させるために、白色の生地を使用しているが、例えば、複数の花１０６に白色反射材を塗布することで、フラッシュ撮影により白色を視認できるようにしてもよい。
以上説明したように、反射性インク３０の色は、複数存在しており、同じ花でも、塗布する反射性インクの色を変えて再帰反射させることで、様々なカラーバリエーションを提供できる。
【００１９】
［変形例４］
図６は、変形例４におけるコサージュ２を例示する図である。
図６に例示するように、コサージュ２は、造花構成部材として花１０により構成される。
花１０は、後述する反射層７（図示省略）を有しており、反射層７は、再帰反射性を有する。また、反射層７は花１０の表面の一部に固着しており、転写により形成される。なお、花１０は、前述した反射性インク３０を、花１０の表面の一部に塗布することで、反射層を固着してもよい。これにより、コサージュ２が、スマートフォン５０によりフラッシュ撮影されたときに、コサージュ２の一部の色が変わる。例えば、フラッシュ撮影されたとき、コサージュ２に模様が付加されて撮影される。変形例４においては、フラッシュ撮影されたとき、コサージュ２にグラデーションが付加されて撮影される。
【００２０】
上記実施例において、反射層５は、反射性インク３０により形成される形態を具体例として説明した。変形例４において、反射層７は、ガラスビーズ２０、転写用接着樹脂層２６、及び、反射性インク３２により形成される形態を具体例として説明する。なお、変形例４にける反射層７は、特願２０１５−１３４６２５の塗料として開示されている。
図７は、変形例４における反射層７例示する図である。
図７に例示するように、反射層７における、ガラスビーズ２０及び反射性インク３２は、転写用接着樹脂層２６の接着作用により、花１０に固着する。
反射性インク３２は、少なくとも、合成樹脂層２５を形成する合成樹脂材、及び、反射性微粒子２４から構成されている。
合成樹脂層２５は、例えば、透明性のある合成樹脂材により形成されている。合成樹脂層２５は、例えば、ポリエステル系樹脂、塩ビ系樹脂、ナイロン系樹脂、アクリル系樹脂、ウレタン系樹脂、エポキシ系樹脂、フッ素系樹脂、又は、無機系樹脂で形成されている。変形例４の反射性インク３２における合成樹脂層２５は、ポリエステル系樹脂である合成樹脂材で形成されている。また、合成樹脂材をホットメルト系接着剤の樹脂を含むよう構成してもよい。
反射性微粒子２４は、例えば、雲母（マイカ）、酸化チタン被覆マイカ、アルミペースト、又は、ガラスフレーク金属蒸着ＴｉＯ２顔料等の微粒子である。なお、変形例４の反射性微粒子２４は、雲母（マイカ）である。
転写用接着樹脂層２６は、熱可塑性の樹脂であるホットメルト系接着剤で形成されている。ホットメルト系接着剤には、例えば、ポリエステル系、塩ビ系、ナイロン系樹脂等である。なお、転写用接着樹脂層２６は、反射性インク３２にホットメルト系接着剤の樹脂を含むよう構成することにより、省くことができる。
以上説明したとおり、変形例４において、フラッシュ撮影前後で、異なるデザイン性を有するコサージュ２を提供できる。
【符号の説明】
【００２１】
１…造花
２…コサージュ
５…反射層
１０、１２…花
１４…葉
１６…茎
２０…ガラスビーズ
２１…反射性樹脂層
３０…反射性インク
５０…撮影装置
【図１】
0003209220.tif 000003
【図２】
0003209220.tif 000004
【図３】
0003209220.tif 000005
【図４】
0003209220.tif 000006
【図５】
0003209220.tif 000007
【図６】
0003209220.tif 000008
【図７】
0003209220.tif 000009